(57)【要約】【課題】複数の通信回線の各々に通信属性を割当ててその属性に基づいてデータ通信を行なうシステムにおいて、いずれかの通信回線に障害が発生した場合に、正常回線の通信属性を障害が発生した通信回線の通信属性に切替えて代替するための通信回線障害時の自動回線縮退方法とその装置及び通信制御プログラムを提供する。【解決手段】複数の通信回線（３ａ、３ｂ）内の１つの通信回線の障害（７）の発生を検出したときに自動的に複数の通信回線内の１つの正常な通信回線を選択し、選択された正常な通信回線の属性を障害を発生した通信回線の代替として使用するために変更し、変更された属性に基づいて、障害を発生した通信回線を専用的に使用するデータ通信を選択された正常な通信回線で代替して行なう、各ステップを有することを特徴とする通信回線障害時の自動回線縮退方法が提供される。【選択図】          図５
2004260581.tif 000002
【特許請求の範囲】
【請求項１】
複数の通信回線を使用してデータ通信を行なう方法であって、
複数の通信回線の各々に属性を割り当て、前記属性に基づいて前記各通信回線を専用的に所定のデータ通信のために使用するステップと、
前記複数の通信回線内の１つの通信回線の障害の発生を検出したときに自動的に前記複数の通信回線内の１つの正常な通信回線を選択し、該選択された正常な通信回線の属性を前記障害を発生した通信回線の代替として使用するために変更するステップと、
変更された属性に基づいて、前記障害を発生した通信回線を専用的に使用するデータ通信を前記選択された正常な通信回線で代替して行なうステップと
を有することを特徴とする通信回線障害時の自動回線縮退方法。
【請求項２】
請求項１に記載の自動回線縮退方法において、前記属性が、前記データ通信のデータ要求用又はデータ回答用のいずれか一方を表わすことを特徴とする自動回線縮退方法。
【請求項３】
請求項１に記載の自動回線縮退方法において、前記変更するステップが、前記障害の発生を検出したら障害を発生した通信回線を専用的に使用するデータ通信を一時的に保留し、前記選択された正常な通信回線を一時的に閉じて行なわれることを特徴とする自動回線縮退方法。
【請求項４】
複数の通信回線を使用してデータ通信を行なう装置であって、
複数の通信回線の各々に属性を割り当て、前記属性に基づいて、各通信回線を専用的に所定のデータ通信のために使用する手段と、
前記複数の通信回線内の１つの通信回線の障害の発生を検出したときに自動的に前記複数の通信回線内の１つの正常な通信回線を選択し、該選択された正常な通信回線の属性を前記障害を発生した通信回線の代替として使用するために変更する手段と、
変更された属性に基づいて、前記障害を発生した通信回線を専用的に使用するデータ通信を、前記選択された正常な通信回線を代替として使用して行なう手段と
を有することを特徴とする通信回線障害時の自動回線縮退装置。
【請求項５】
請求項４に記載の自動回線縮退装置において、前記変更する手段が、前記障害の発生を検出したら障害の発生した通信回線を専用的に使用するデータ通信を一時的に保留するメモリ手段と、前記選択された正常な通信回線を一時的に閉じる手段とを含むことを特徴とする自動回線縮退装置。
【請求項６】
複数の通信回線を使用したデータ通信の制御をコンピュータ上で実現せしめる通信制御プログラムであって、
複数の通信回線の各々に属性を割り当て、前記属性に基づいて、各通信回線を専用的に所定のデータ通信のために使用する処理と、
前記複数の通信回線内の１つの通信回線の障害の発生を検出したときに自動的に前記複数の通信回線内の１つの正常な通信回線を選択し、該選択された正常な通信回線の属性を前記障害を発生した通信回線の代替として使用するために変更する処理と、
変更された属性に基づいて、前記障害を発生した通信回線を専用的に使用するデータ通信を、前記選択された正常な通信回線を代替として使用して行なう処理と
を有し、通信回線障害時の自動回線縮退をせしめる通信制御プログラム。
【請求項７】
請求項６に記載の通信制御プログラムにおいて、前記変更する処理が、前記障害の発生を検出したら障害の発生した通信回線を専用的に使用するデータ通信を一時的に保留する処理と、前記選択された正常な通信回線を一時的に閉じる処理とを含むことを特徴とする通信制御プログラム。
【発明の詳細な説明】
【０００１】
【発明の属する技術分野】
本発明は、一般に、データ通信方法とその装置及び通信制御プログラムに関し、より詳細には、通信回線障害時の自動回線縮退方法とその装置及び通信制御プログラムに関する。
【０００２】
【従来の技術】
従来技術として、特許文献１に複数の通信回線を用いてデータ通信を行なうシステムにおいていずれかの通信回線に障害が発生した場合、通信回線の切替え制御を行う装置および方法が開示されている。特許文献１では、障害が発生した通信回線を除く残りの正常な通信回線の負荷分散を考慮しつつ通信負荷の少ない迂回先回線を選択して切替えを行ない、障害が回復した後にデータ通信を元の通信回線に自動的に戻すことができるように、迂回中回線情報と迂回先回線情報を含む構成が開示されている。
【０００３】
【特許文献１】
特許第２７３２７７５号（段落〔０００８〕乃至〔００１３〕）
【０００４】
【発明が解決しようとする課題】
しかし、複数の通信回線を用いてデータ通信を行なう場合、通信回線に送信専用（又はデータ要求回線）及び受信専用（又はデータ回答回線）などの所定の属性が予め割り当てられていることがある。このような場合、特許文献１に開示される従来技術では、障害回線の同じ属性を持った迂回先回線が必要であり、もし、障害回線と同じ属性の代替用の迂回先回線がないと、選択と切替えができないという問題点がある。
【０００５】
本願発明は、かかる従来技術の問題点を解決することを目的とする。
【０００６】
【課題を解決するための手段】
請求項１に記載の本発明によれば、複数の通信回線を使用してデータ通信を行なう方法であって、複数の通信回線の各々に属性を割り当て、属性に基づいて前記各通信回線を専用的に所定のデータ通信のために使用するステップと、複数の通信回線内の１つの通信回線の障害の発生を検出したときに自動的に複数の通信回線内の１つの正常な通信回線を選択し、選択された正常な通信回線の属性を障害を発生した通信回線の代替として使用するために変更するステップと、変更された属性に基づいて、障害を発生した通信回線を専用的に使用するデータ通信を選択された正常な通信回線で代替して行なうステップとを有することを特徴とする通信回線障害時の自動回線縮退方法が提供される。
【０００７】
請求項１に記載された方法によれば、予め各通信回線に属性が割り当てられている場合、正常回線の属性を障害回線の属性に変更することにより、障害回線の代替として使用することができる。従って、障害回線と同じ属性を持った正常回線が無い場合でも、正常回線の属性を変更することで代替回線を確保することが可能となる。
【０００８】
請求項２に記載の本発明によれば、請求項１に記載の自動回線縮退方法において、属性が、データ通信のデータ要求用又はデータ回答用のいずれか一方を表わすことを特徴とする自動回線縮退方法が提供される。
【０００９】
請求項２に記載された方法によれば、各通信回線に割り当てられた属性が、データ通信のデータ要求用又はデータ回答用のいずれかを表わす。すなわち、データ通信によりデータセンター（データサーバー）から情報データ提供サービスを受けるクライアントから見ると、データ要求用の属性の回線はデータセンターへの送信専用の回線を表わし、データ回答用の属性の回線はデータセンターからの受信専用の回線を表わす。このように、複数の通信回線を送信専用と受信専用とに分けることにより、データ通信の効率を高めることができる。
【００１０】
請求項３に記載の本発明によれば、請求項１に記載の自動回線縮退方法において、変更するステップが、障害の発生を検出したら障害を発生した通信回線を専用的に使用するデータ通信を一時的に保留し、選択された正常な通信回線を一時的に閉じて行なわれることを特徴とする自動回線縮退方法が提供される。
【００１１】
請求項３に記載された方法によれば、障害の発生を検出したら障害回線を専用的に使用するデータ通信を一時的に保留して、代替の通信回線が確保されるまで待つ。一方、代替回線として選択された正常な通信回線はその属性を障害回線と同じく変更するために一時的に閉じられて属性変更の操作が行なわれる。このように属性変更を行なうことで、障害時のデータ通信の回復を円滑に行なうことができる。
【００１２】
請求項４に記載の本発明によれば、複数の通信回線を使用してデータ通信を行なう装置であって、複数の通信回線の各々に属性を割り当て、属性に基づいて、各通信回線を専用的に所定のデータ通信のために使用する手段と、複数の通信回線内の１つの通信回線の障害の発生を検出したときに自動的に複数の通信回線内の１つの正常な通信回線を選択し、選択された正常な通信回線の属性を障害を発生した通信回線の代替として使用するために変更する手段と、変更された属性に基づいて、障害を発生した通信回線を専用的に使用するデータ通信を、選択された正常な通信回線を代替として使用して行なう手段と、を有することを特徴とする通信回線障害時の自動回線縮退装置が提供される。
【００１３】
請求項４に記載の装置によれば、予め各通信回線に属性が割り当てられている場合、正常回線の属性を障害回線の属性に変更することにより、障害回線の代替として使用することができる。従って、障害回線と同じ属性を持った正常回線が無い場合でも、正常回線の属性を変更することで代替回線を確保することが可能となる。
【００１４】
請求項５に記載の本発明によれば、請求項４に記載の自動回線縮退装置において、変更する手段が、障害の発生を検出したら障害の発生した通信回線を専用的に使用するデータ通信を一時的に保留するメモリ手段と、選択された正常な通信回線を一時的に閉じる手段とを含むことを特徴とする自動回線縮退装置が提供される。
【００１５】
請求項５に記載の装置によれば、障害の発生を検出したら障害回線を専用的に使用するデータ通信を一時的に保留して、代替の通信回線が確保されるまで待つ。一方、代替回線として選択された正常な通信回線はその属性を障害回線と同じく変更するために一時的に閉じられて属性変更の操作が行なわれる。このように属性変更を行なうことで、障害時のデータ通信の回復を円滑に行なうことができる。
【００１６】
請求項６に記載の本発明によれば、複数の通信回線を使用したデータ通信の制御をコンピュータ上で実現せしめる通信制御プログラムであって、複数の通信回線の各々に属性を割り当て、前記属性に基づいて、各通信回線を専用的に所定のデータ通信のために使用する処理と、前記複数の通信回線内の１つの通信回線の障害の発生を検出したときに自動的に前記複数の通信回線内の１つの正常な通信回線を選択し、該選択された正常な通信回線の属性を前記障害を発生した通信回線の代替として使用するために変更する処理と、変更された属性に基づいて、前記障害を発生した通信回線を専用的に使用するデータ通信を、前記選択された正常な通信回線を代替として使用して行なう処理とを有し、通信回線障害時の自動回線縮退をせしめる通信制御プログラムが提供される。
【００１７】
請求項６に記載のプログラムによれば、予め各通信回線に属性が割り当てられている場合、正常回線の属性を障害回線の属性に変更することにより、障害回線の代替として使用することができる。従って、障害回線と同じ属性を持った正常回線が無い場合でも、正常回線の属性を変更することで代替回線を確保することが可能となる。
【００１８】
請求項７に記載の本発明によれば、請求項６に記載の通信制御プログラムにおいて、前記変更する処理が、前記障害の発生を検出したら障害の発生した通信回線を専用的に使用するデータ通信を一時的に保留する処理と、前記選択された正常な通信回線を一時的に閉じる処理とを含むことを特徴とする通信制御プログラムが提供される。
【００１９】
請求項７に記載のプログラムによれば、障害の発生を検出したら障害回線を専用的に使用するデータ通信を一時的に保留して、代替の通信回線が確保されるまで待つ。一方、代替回線として選択された正常な通信回線はその属性を障害回線と同じく変更するために一時的に閉じられて属性変更の操作が行なわれる。このように属性変更を行なうことで、障害時のデータ通信の回復を円滑に行なうことができる。
【００２０】
【発明の実施の形態】
以下、添付図面を参照して、本発明の実施の形態について詳細に説明する。
【００２１】
図１は、本発明の装置と方法及びそのプログラムが使用される情報システムの全体の概略図である。図１においては、データサービスを受けるクライアント情報システム１がゲートウェイ・サーバー４を介してデータサービスを提供するデータサーバー情報システム２に複数の通信回線３により接続されている。クライアント情報システム１には、例えば、業務アプリケーション・サーバー等が接続されていて、データサーバー情報システム２に置かれた情報センターＡ乃至Ｄへ照会要求のためのデータ要求を送信し、そして情報センターＡ乃至Ｄからの照会回答としてのデータ回答を受信するようになっている。情報センターＡ乃至Ｄは、同じデータサーバー情報システム２内に設けられて良いし、異なるデータサーバー情報システム２内に設けられても良い。
【００２２】
本発明の実施の形態による装置と方法及びそのプログラムは、複数の通信回線３を介してデータサーバ情報システム２に接続されるゲートウェイ・サーバー４内に組み込まれて使用される。なお、データサービスを受けるクライアント情報システム１及びデータサービスを提供するデータサーバー情報システム２は、さまざまな情報の要求とそれに対する回答をオンライン方式にて行なうものが含まれる。例えば、クライアント情報システム２としては、クレジットカードやデビットカードなどの使用の際の顧客信用情報の照会を要求するものが考えられ、データサーバー情報システム２としては、照会要求に応じて顧客信用情報を回答をするものが考えられる。
【００２３】
図２は、図１の情報システムの一部を詳細に示すものである。図２において、クライアント情報システム１には、複数の業務アプリケーション・サーバーを構成する情報端末１ａ及び１ｂが接続されていて、それぞれがゲートウェイ・サーバー４、プロトコル変換機５及び複数の通信回線３を介して、サーバー情報システム２に接続されていて、サーバー情報システム２内の情報センターＡ乃至Ｄに対して照会要求（又はデータ要求）を送信し、そして、サーバー情報システム２内の情報センターＡ乃至Ｄから照会回答（又はデータ回答）を受信するようになっている。
【００２４】
ゲートウェイ・サーバー４は、複数の情報端末１ａ又は１ｂからの照会要求を受けて、プロトコル変換機５でプロトコル変換した後、照会要求の送信専用の回線３ａを介してサーバー情報システム２内の情報センターＡ乃至Ｄのいずれかに送信する。そして、照会要求を受けた情報センターＡ乃至Ｄのいずれかは照会回答を照会回答専用の回線３ｂを介してプロトコル変換機５、ゲートウェイ・サーバー４に送る。ゲートウェイ・サーバー４は照会回答を受信した後、照会要求をした端末１ａ又は１ｂに照会回答を送る。なお、図２においては、データ要求専用の照会要求回線３ａは１つのみが示されているが、実際は複数の照会要求回線３ａが存在し得る。同様にデータ回答専用の照会回答回線３ｂは１つのみが示されているが、実際は複数の照会回答回線３ｂが存在し得る。
【００２５】
図３は、図２の情報システムの一部を詳細に示すものである。図３に示すように、ゲートウェイ・サーバー４（図３では簡略化のために、プロトコル変換機５を省略している）とデータサーバー情報システム２内の情報センターＡ乃至Ｄとの間には、複数、例えば４つ、の専用の通信回線３が設けられていて、ゲートウェイ・サーバー４の初期化、例えば、電源投入時による初期化により、ゲートウェイ・サーバー４（クライアント情報システム１）から照会要求、すなわち、データ要求を送信するための要求専用回線３ａ及び照会回答、すなわち、データ回答を受信するための回答専用回線３ｂとに割り当てられる。つまり、ゲートウェイ・サーバー４による初期設定時に、照会要求専用の要求回線３ａとしての属性が２つの通信回線３に割り当てられ、照会回答専用の回答回線３ｂとしての属性が残りの２つの通信回線３に割り当てられ、ソケット通信によるデータの送受信を行う。ゲートウェイ・サーバー４により、照会要求の機能と照会回答の機能は別々にコールされて非同期に処理される。
【００２６】
図４は、本発明の１つの実施の形態によるゲートウェイ・サーバー４及びそれと関連した構成のブロック図である。ゲートウェイ・サーバー４の本体４０は、メモリ４ａを含み、このメモリ４ａ内に上述した初期設定による各通信回線３についての照会要求送信専用の属性３ａ又は照会回答受信専用の属性３ｂのいずれかが割振られて記憶されている。また、ゲートウェイ・サーバー４の本体４０は、ＴＣＰ／ＩＰソケット４１を介してクライアント情報システム１内の各情報端末１ａ又は１ｂ内のアプリケーション・インターフェイスＡＰＩ内のＴＣＰ／ＩＰソケット１１と接続されている。
【００２７】
各情報端末１ａ及び１ｂとゲートウェイ・サーバー４０との間の送受信は、ＴＣＰ／ＩＰソケット４１に接続されたＴＣＰ／ＩＰソケット４２、４３、４４及びＴＣＰ／ＩＰソケット４５、４６、４７により行われる。本発明による照会要求（データ要求）と照会回答（データ回答）の送信及び受信は、それぞれＴＣＰ／ＩＰソケット４３、４４及びＴＣＰ／ＩＰソケット４６、４７を介して、バッファメモリ４９及びプロトコル変換機５に接続して行なわれる。前述したように、プロトコル変換機５とデータサーバ情報システム２との間には、例えば、４つの専用線の通信回線３が接続されていて、ゲートウェイ・サーバー本体４０の初期化の際に、通信回線３の照会要求送信専用３ａ若しくは照会回答受信専用３ｂの属性が割り当てられてる。すなわち、２つの照会要求送信専用の回線３ａ及び２つの照会回答受信専用の回線３ｂが設定される。
【００２８】
一方、ＴＣＰ／ＩＰソケット４５は、ＴＣＰ／ＩＰ４８を経てインターネット等の公衆回線６を介してデータサーバー情報システム２に接続されていて、本発明以外によるデータ通信を行なう。
【００２９】
図５は、本発明の１つの実施の形態による通信回線障害時の自動回線縮退方法を簡潔に示す。図５においては、データサーバ情報システム２内の情報センターＡ乃至Ｄとゲートウェイ・サーバー４との間に３つの通信回線があり、ゲートウェイ・サーバー４の初期時設定により、１つ通信回線３ａが照会要求送信用に通信回線属性が設定され、２つの通信回線３ｂが照会回答受信用に通信回線属性が設定されて、ゲートウェイ・サーバー４中のメモリ（図４中の４ａ）内に記憶している。
【００３０】
もし、１つの要求送信回線３ａに障害７が発生した場合、要求送信回線３ａが存在しなくなる。この場合、ゲートウェイ・サーバー４は障害７を検知したときに要求送信回線３ａを介してのデータ送信を一時的にバッファメモリ（図４中の４９）内に保留し、２つの回答受信回線３ｂの内の１つを閉じ、その通信回線属性の設定を照会回答受信用から照会要求送信用に変更し、ゲートウェイ・サーバー４中のメモリ（図４中の４ａ）内の属性を更新する。そして、通信回線属性の変更が実施された後に、属性が変更された要求送信回線３ａを介して一時的にバッファメモリ（図４中の４９）内に保留されたデータ送信を再開する。
【００３１】
図６乃至図１０は、図５で説明した本発明の１つの実施の形態による通信回線障害時の自動回線縮退方法をより詳細に示す。図６に示すように、通信回路構成は３つの通信回線３を含み、照会要求用（データ要求用）の送信回線が１回線、照会回答用（データ回答用）の受信回線が２つを有する。ゲートウェイ・サーバー４の本体４０中のメモリ４ａに記憶されたテーブル内には、初期設定時に、回線名００００１、００００２、００００３にそれぞれ回線属性として、照会要求回線（図５中の要求送信回線３ａに対応する）、照会回答回線（図５中の回答受信回線３ｂに対応する）、照会回答回線（図５中の回答受信回線３ｂに対応する）が割り当てられて記憶される。そして、ゲートウェイ・サーバー４は動作中の回線状況を監視して正常ならば「正常」の情報をメモリ４ａ内のテーブルの回線状況の欄内に入れる。
【００３２】
正常時においては、クライアント情報システム１中のユーザ・アプリケーション・インターフエイスＡＰＩからの照会要求電文１はゲートウェイ・サーバー４の本体４０中のバッファメモリ４９を経由して照会要求回線００００１を介してデータサーバー情報システム２内の情報センターＡ乃至Ｄのいずれかに送られる。この照会要求電文１に対する照会回答電文１が照会要求電文１を受信した情報センターＡ乃至Ｄのいずれかで作成されて、照会回答回線００００２を介してゲートウェイ・サーバー４へ返答される。ゲートウェイ・サーバー４は照会回答電文１を照会回答回線００００２を介して受信して本体４０内のバッファメモリ４９を経由して、クライアント情報システム１中のユーザ・アプリケーション・インターフエイスＡＰＩへ送る。
【００３３】
次に、図７を参照すると、照会要求回線００００１に障害が発生した状況が示されている。ゲートウェイ・サーバー４は照会要求回線００００１の障害の発生を検知すると、クライアント情報システム１中のユーザ・アプリケーション・インターフエイスＡＰＩからの照会要求電文１をバッフアメモリ４９上に一時的に保留する。そして、メモリ４ａのテーブル内の回線名００００１の回線状況の欄の情報を「異常」の情報に更新する。
【００３４】
次に、図８を参照すると、ゲートウェイ・サーバー４の本体４０は、回線名００００３についての回線属性を照会要求回線に変更するために、回線名００００３の閉局要求送信をデータサーバー情報システム２内の情報センターＡ乃至Ｄに送り、閉局要求に対する回答をデータサーバー情報システム２内の情報センターＡ乃至Ｄから受信する。そして、ゲートウェイ・サーバー４の本体４０はメモリ４ａ内のテーブルの回線名００００３内の回線状況の欄の情報を閉局に更新する。
【００３５】
次に、図９を参照すると、ゲートウェイ・サーバー４の本体４０は、回線名００００３について回線属性を照会要求回線に更新して、回線名００００３の開局要求送信をデータサーバー情報システム２内の情報センターＡ乃至Ｄに送り、開局要求に対する回答をデータサーバー情報システム２内の情報センターＡ乃至Ｄから受信する。そして、ゲートウェイ・サーバー４の本体４０はメモリ４ａ内のテーブルの回線名００００３内の回線属性の欄を要求回線に更新しそして回線状況の欄の情報を開局に更新する。
【００３６】
次に、図１０を参照すると、ゲートウェイ・サーバー４が障害を上記の通りに自動的に復旧した後の状態が示されている。メモリ４ａ内のテーブルに示されるように、回線名００００３の回線属性の欄が要求回線に変更され、そして回線状況の欄が正常に変更される。そして、バッファメモリ４９内に一時的に保留されていた、クライアント情報システム１からの照会要求電文１が要求回線として回線属性が変更された回線００００３を介してデータサーバー情報システム２内の情報センターＡ乃至Ｄに送信する。そして、この照会要求電文１に対するデータサーバー情報システム２内の情報センターＡ乃至Ｄからの照会回答電文１が回答回線００００２を介してゲートウェイ・サーバー４に送られる。ゲートウェイ・サーバー４は回答回線００００２を介して照会回答電文１を受信して、バッフアメモリ４９を介してクライアント情報システム１へ送る。
【００３７】
【発明の効果】
以上説明したように、本発明によれば、予め各通信回線に属性が割り当てられている場合、正常回線の属性を障害回線の属性に変更することにより、障害回線の代替として使用することができる。従って、障害回線と同じ属性を持った正常回線が無い場合でも、正常回線の属性を変更することで代替回線を確保することが可能となる。
【図面の簡単な説明】
【図１】本発明の装置及び方法が使用される情報システム全体の概略図。
【図２】図１の情報システムの一部を詳細に示す概略図。
【図３】図２の情報システムの一部を詳細に示す概略図。
【図４】本発明の実施の形態による通信回線障害時の自動回線縮退装置のゲートウェイ・サーバーの構成を示すブロック図。
【図５】本発明の１つの実施の形態による通信回線障害時の自動回線縮退方法を簡潔に示す図。
【図６】本発明の１つの実施の形態による通信回線障害時の自動回線縮退方法を詳細に示す図。
【図７】本発明の１つの実施の形態による通信回線障害時の自動回線縮退方法を詳細に示す図。
【図８】本発明の１つの実施の形態による通信回線障害時の自動回線縮退方法を詳細に示す図。
【図９】本発明の１つの実施の形態による通信回線障害時の自動回線縮退方法を詳細に示す図。
【図１０】本発明の１つの実施の形態による通信回線障害時の自動回線縮退方法を詳細に示す図。
【符号の説明】
１    クライアント情報システム
２    データサーバー情報システム
３    通信回線
３ａ  データ要求送信回線
３ｂ  データ回答受信回線
４    ゲートウェイ・サーバー
４ａ  メモリ
５    プロトコル変換機
７    障害
４９  バッフアメモリ
【図１】
2004260581.tif 000003
【図２】
2004260581.tif 000004
【図３】
2004260581.tif 000005
【図４】
2004260581.tif 000006
【図５】
2004260581.tif 000007
【図６】
2004260581.tif 000008
【図７】
2004260581.tif 000009
【図８】
2004260581.tif 000010
【図９】
2004260581.tif 000011
【図１０】
2004260581.tif 000012